(57)【特許請求の範囲】
【請求項１】
引戸を、開口部の開閉方向へスライド移動自在に上吊りし、閉時は、壁体と面一に並んだ閉位置へ案内して前記開口部を閉止する一方、開時は、壁体と重なる開位置へ引き戻して前記開口部を開けるフラット引戸装置において、
戸先側一端に湾曲した屈曲部を有し、該屈曲部を前記開口部内の戸尻側寄りに入り込ませた状態で、直線部を前記壁体の片側壁面に沿わせて、上方の支持体に敷設する第１引戸レールと、
戸先側一端に湾曲した屈曲部を有し、該屈曲部を前記開口部内の戸先側寄りに入り込ませ、直線部を、前記片側壁面の前記第１引戸レールより外側にあって戸尻側が該第１引戸レールと一部重なった状態で、開閉方向と直交する戸厚方向に横二列に並べて、上方の前記支持体に敷設する第２引戸レールと、
前記引戸の上端面の戸尻側に組み付けて戸車を前記第１引戸レールに係合する第１戸車ユニットであって、下端を前記引戸の重心が通る戸厚方向の中心線より一側の側縁に立設する支持軸と、該支持軸の上端に回動可能に取り付けて支持し、支持ブラケットで戸厚方向に軸支した横車軸の両端に戸厚方向に双輪の前記戸車を回転自在に枢支する戸車体を備え、前記戸車を、前記引戸の上端面の戸厚方向一側の側縁に寄った偏心位置に搭載する第１戸車ユニットと、
前記引戸の上端面の戸先側に組み付けて戸車を前記第２引戸レールに係合する第２戸車ユニットであって、下端を前記引戸の重心が通る戸厚方向の中心線より他側の側縁に立設する支持軸と、該支持軸の上端に回動可能に取り付けて支持し、支持ブラケットで戸厚方向に軸支した横車軸の両端に戸厚方向に双輪の前記戸車を回転自在に枢支する戸車体を備え、前記戸車を、前記引戸の上端面の戸厚方向他側の側縁に寄った偏心位置に搭載する第２戸車ユニットと、
前記壁体に、その木口側の下部で基端部を回転自在に連結する一方、先端部を、前記引戸の下端面に長さ方向に凹設したガイド溝に係合させて引戸を前記壁体に連結するガイドリンクと、
を備えてなることを特徴とする、フラット引戸装置。
【請求項２】
前記引戸の戸尻側木口には、該引戸が開閉方向にスライドして前記壁体の木口の横を通過するとき、向い合う該木口の片側角縁と衝突しないように逃がすテーパを設けてなることを特徴とする、請求項１に記載のフラット引戸装置。
【請求項３】
前記ガイドリンクは、基端部側をリンクケース内に収納して回転可能に枢支し、前記壁体には、木口側の下部に、前記リンクケースを嵌め込んで覆い隠す取付凹部を設け、前記リンクケースには、前記ガイドリンクが当接すると緩衝する弾性パッドを内設してなることを特徴とする、請求項１又は２に記載のフラット引戸装置。
【発明の詳細な説明】
【技術分野】
【０００１】
本発明は、一般の住宅、オフィスビル、病院、学校等の室内で、引戸をスライド自在に上吊りし、閉時は壁体と面一に並んだ閉位置へ案内して開口部を閉止する一方、開時は壁体と重なる開位置へ引き戻して開口部を開けるフラット引戸装置に関する。
【背景技術】
【０００２】
従来、この種のフラット引戸装置の中に、図１６および図１７に示すように、引戸１を開閉方向に案内する引戸レール２には、その戸先側に開口部３に向けて湾曲した屈曲部２ａを設ける一方、引戸１の戸尻側をリンク４で連結し、閉時、引手１ａに手を掛けて、引戸１を戸尻側の壁体５と重なった開位置から横に引き出すと、戸車を転動させながら、引戸１を、引戸レール２の屈曲部２ａで案内して戸先側を開口部３に向け誘導し、次いで、戸先側端部が戸先側壁体６の木口６ａに突き当って傾いた状態になると、引戸１の戸尻側端部を、図中奥側の表側からは手前に引き寄せ又は裏側からは表側へ押し出すと、リンク４が回動して引戸１を戸先側端部を支点として表側へ揺動し、図１８に全体を表側から見て示すように、両側の壁体５・６と段差なく面一に並んだ閉位置にシフトさせて、開口部３を閉止する構造にしたものがある（特許文献１参照）。
【０００３】
一方、開時は、閉位置にある引戸１の戸尻側端部を、表側から裏側へ押し出し又は裏側からは手前に引き寄せと、リンク４が逆向きに回動して引戸１を戸尻側端部が開口部３から離れる向きに揺動し、いったん閉位置で引戸１を傾き状態に戻してから、引戸１を、戸先側を引戸レール２の屈曲部２ａで案内しながらスライドさせて開位置へ引き戻し、図１６に示すように開口部３が開くようになっている。
【０００４】
また、従来のフラット引戸装置は、引戸１の下端面には、長さ方向にガイド溝１ｂを凹設する一方、床面７には、引戸１のスライド軌道上にガイド突起８を立設し、ガイド突起８をガイド溝１ｂに係合させて、開閉時に引戸１の下部側が横振れしないように案内する構造になっている。
【特許文献１】特開２００３−２５３９４９号公報
【発明の開示】
【発明が解決しようとする課題】
【０００５】
ところが、従来のフラット引戸装置では、床面７のスライド軌道上にガイド突起８があると、この出っ張りが目だって見栄えが悪く、しかも、出っ張ったガイド突起８が障害となって足や物が引っ掛かり、怪我をしたり物に傷が付いたりして邪魔になるという課題があった。
【０００６】
また、従来のフラット引戸装置では、引戸１を閉めると、壁体５・６と面一に並んで表側一面が壁のような外観になるため、開時は、引戸１をどう動かして開口部３を開けるのか、即ち、引戸１を開ける操作手順が判り難く、場合によっては、引戸１が乱暴に押されたり引かれたりして壊れてしまうことがあるという課題があった。更に、従来のフラット引戸装置では、通常の引戸の開閉操作と違い、引戸１を開閉するには、引戸１を単に横に引いてスライドさせるだけではなく、加えて、手前に引き寄せたり或いは奥側に押し出したり、二段の開閉動作が必要となり、それだけ操作が面倒であるという課題もあった。
【０００７】
そこで、本発明の目的は、引戸のガイド部材を引戸周りの床面から出っ張らせないで見栄えを良好にし、引戸の開閉操作も単純で判り易いフラット引戸装置を提供することにある。
【０００８】
そこで、上記目的を達成すべく、請求項１に記載の発明は、たとえば以下に示す図示実施の形態のとおり、引戸１４を、開口部Ｓの開閉方向Ｘ・Ｙへスライド自在に上吊りし、閉時は、壁体１３と面一に並んだ閉位置Ｐ１へ案内して前記開口部Ｓを閉止する一方、開時は、壁体１３と重なる開位置Ｐ２へ引き戻して前記開口部Ｓを開けるフラット引戸装置Ａにおいて、戸先側一端に湾曲した屈曲部２０ｃを有し、該屈曲部２０ｃを前記開口部Ｓ内の戸尻側寄りに入り込ませた状態で、直線部２０ｂを前記壁体１３の片側壁面１３ｂに沿わせて、上方の支持体１２に敷設する第１引戸レール２０と、戸先側一端に湾曲した屈曲部２５ｃを有し、該屈曲部２５ｃを前記開口部Ｓ内の戸先側寄りに入り込ませ、直線部２５ｂを、前記片側壁面１３ｂの前記第１引戸レール２０より外側にあって戸尻側が該第１引戸レールと一部重なった状態で、開閉方向と直交する戸厚方向に横二列に並べて、上方の前記支持体１２に敷設する第２引戸レール２５と、前記引戸１４の上端面１４ａの戸尻側に組み付けて戸車３４を前記第１引戸レール２０に係合する第１戸車ユニットであって、下端を前記引戸１４の重心が通る戸厚方向の中心線より一側の側縁に立設する支持軸３２と、該支持軸３２の上端に回動可能に取り付けて支持し、支持ブラケット３３ａで戸厚方向に軸支した横車軸の両端に戸厚方向に双輪の前記戸車３４を回転自在に枢支する戸車体３３を備え、前記戸車３４を、前記引戸１４の上端面の戸厚方向一側の側縁に寄った偏心位置に搭載する第１戸車ユニット３０と、前記引戸１４の上端面１４ａの戸先側に組み付けて戸車３９を前記第２引戸レール２５に係合する第２戸車ユニットであって、下端を前記引戸１４の重心が通る戸厚方向の中心線より他側の側縁に立設する支持軸３７と、該支持軸３７の上端に回動可能に取り付けて支持し、支持ブラケット３８で戸厚方向に軸支した横車軸の両端に戸厚方向に双輪の前記戸車３９を回転自在に枢支する戸車体３８を備え、前記戸車３９を、前記引戸の上端面１４ａの戸厚方向他側の側縁に寄った偏心位置に戸車３９を回転自在に搭載する第２戸車ユニット３５と、前記壁体１３に、その木口１５側の下部で基端部を回転自在に連結する一方、先端部を、前記引戸１４の下端面に長さ方向に凹設したガイド溝１６に係合させて引戸１４を前記壁体１３に連結するガイドリンク５０と、を備えてなることを特徴とする。
【０００９】
請求項２に記載の発明は、たとえば以下に示す図示実施の形態のとおり、請求項２に記載のフラット引戸装置Ａにおいて、前記引戸１４の戸尻側木口１９には、該引戸１４が開閉方向Ｘ・Ｙにスライドして前記壁体１３の木口１５の横を通過するとき、向い合う該木口１５の片側角縁１５ａと衝突しないように逃がすテーパ１９ａを設けてなることを特徴とする。
【００１０】
請求項３に記載の発明は、たとえば以下に示す図示実施の形態のとおり、請求項１又は２に記載のフラット引戸装置Ａにおいて、前記ガイドリンク５０は、基端部側をリンクケース５５内に収納して回転可能に枢支し、前記壁体１３には、木口１５側の下部に、前記リンクケース５５を嵌め込んで覆い隠す取付凹部１３ａを設け、前記リンクケース５５には、前記ガイドリンク５０が当接すると緩衝する弾性パッド６５を内設してなることを特徴とする。
【発明の効果】
【００１１】
請求項１に記載の発明によれば、閉時は、引戸を閉方向へ横に引き出すと、第１および第２引戸レールの直線部上で、戸車を転動させながら、第１および第２戸車ユニットを走行させて引戸を閉方向へ案内するが、このとき、フラット引戸装置では、引戸は、その上端面において戸厚方向前後に片寄った偏心位置に搭載した、一方の第１戸車ユニットの戸車を第１引戸レールの係合部に係合し、他方の第２戸車ユニットの戸車を第２引戸レールに係合して上吊りされているため、２本の引戸レールの直線部で引戸を壁体と平行に案内し、傾くことなく、フラットな姿勢のまま閉方向へ直進する。しかも、引戸は、ガイド溝にガイドリンクの先端部が係合し、ガイドリンクで下部側をフラ付いたりガタ付いたりしないように繋いで案内し、以って、全体を壁体に沿って整然と閉方向へ直進させることができる。それから、このまま引戸を引いて閉方向へ直進させて後、第１および第２戸車ユニットの戸車が第１および第２引戸レールの直線部から屈曲部へ進入すると、屈曲部の互いに平行な円弧の曲がりに沿って第１および第２戸車ユニットを案内して引戸を開口部内へ誘導すると同時に、引戸の下部側では、ガイドリンクの先端部がガイド溝内で戸尻側溝端に当たると、引戸が閉方向へ直進する動作に従い、ガイドリンクが押されて、上方の両引戸レールの屈曲部と同じように湾曲した軌跡を描いて回動し、引戸の下部側を、壁体に繋いでフラ付いたりガタ付いたりしないように案内して開口部内へ誘導する。これを以って、引戸は、その全体が途中で傾くことなく、壁体と平行なフラットな姿勢を保ちながら整然と閉位置へシフトし、壁体と段差のない面一な状態で開口部を閉止することができる。
【００１２】
他方、開時は、引戸を開方向へ横に引き出すと、第１および第２引戸レールの屈曲部上で、戸車を転動させながら、第１および第２戸車ユニットを走行し、屈曲部の共に平行な円弧の曲がりに沿って第１および第２戸車ユニットを案内し、引戸を開位置へ向けて誘導すると同時に、引戸の下部側では、引戸の開方向への動作に従い、ガイドリンクの先端部がガイド溝内で溝側壁に押されて、ガイドリンクが上方の両引戸レールの屈曲部と同じように湾曲した軌跡を描いて回動しながら、引戸の下部側を、壁体に繋いでフラ付いたりガタ付いたりしないように案内して開位置へ向けて誘導する。これを以って、引戸全体を、途中で傾くことなく、壁体と平行なフラットな姿勢を保ちながら、開位置と同一線上の奥行方向手前にシフトさせることができる。更に、このまま引戸を開方向へ引いて、戸車が第１および第２引戸レールの屈曲部から直線部に進入すると、直線部上で戸車を転動させながら第１および第２戸車ユニットが走行するが、このときも、引戸は、上端面において戸厚方向前後に片寄った偏心位置に搭載した、第１戸車ユニットの戸車を第１引戸レールに係合し、第２戸車ユニットの戸車を第２引戸レールに係合して上吊されているため、両引戸レールの直線部で壁体と平行に案内され、傾くことなく、フラットな姿勢のまま開方向へ直進する。しかも、引戸は、ガイド溝にガイドリンクの先端部が係合し、ガイドリンクで下部側を繋いでフラ付いたりガタ付いたりしないように案内し、以って、全体が壁体に沿って整然と開方向へ直進し、壁体と重なる開位置にシフトして開口部を開けることができる。
【００１３】
このように、請求項１に記載の発明によれば、閉時だけでなく、引戸が壁体と面一に並んで一見して開く操作手順の判り難くい状態にある開時も、同様に、引戸を開方向へ向けて横にただ引くだけでよく、横に引くと、それに従って、引戸は、上部側が第１および第２引戸レールの屈曲部と直線部に沿って開位置へ誘導され、下部側は、ガイド溝に先端部を係合させたガイドリンクでフラ付かないように壁体に沿って案内され、そのまま開位置へ誘導されるので、引戸の開操作が判り易く、手前に引き寄せたり或いは奥側に押し出したりする余計な動作は必要でなく、単純に引戸を横に引く一段の動作で簡単に開口部を開けることができる。従って、引戸の開操作手順が判り難くいことが原因で、引戸が乱暴に押されたり引かれたりして壊れてしまうようなこともない。
【００１４】
更に、請求項１に記載の発明によれば、壁体の木口側下部に、ガイドリンクの基端部を回転自在に連結し、先端部は、引戸の下端面に凹設したガイド溝に係合させて引戸を壁体に連結する構成にし、これを以って、引戸の下部側を案内するガイド機構を形成するため、ガイド部品のほとんどが壁体と引戸の下に隠れて、外部に突出したり露出したりせず、その結果、引戸周りがスッキリして見栄えが向上すると共に、ガイド部品の出っ張りが障害となって足や物が引っ掛かって怪我をしたり物に傷が付いたりする危険の発生を防止して安全性も高めることができる。
【００１５】
請求項２に記載の発明によれば、開閉時に引戸が開位置又は閉位置にシフトするとき、引戸は、壁体の木口の片側角縁と向かい合う尻側木口にテーパを有するため、壁体の木口と、引戸の戸尻側木口間に余計に大きな空隙を設けなくとも、引戸は壁体の木口の片側角縁に衝突しないでスムーズに通過することができる。従って、壁体の木口と、引戸の戸尻側木口間に大きな空隙を設けないで済む結果、それだけ見栄えの低下を抑えることもできる。
【００１６】
請求項３に記載の発明によれば、引戸を横に引いて開口部を開閉するとき、その都度、回動するガイドリンクは、リンクケース内で弾性パッドに当接しても、その衝撃を緩衝して金属音などの騒音の発生を防止することもできる。
【発明を実施するための最良の形態】
【００１７】
以下、図面を参照しつつ、本発明の最良の実施形態について説明する。
【００１８】
図１は、本発明の一例であるフラット引戸装置を適用した引戸構造体を、開口部が全閉直前の状態において示す斜視図、図２は、図１の引戸構造体においてフラット引戸装置の開閉機構を示す平面図である。引戸構造体Ｄは、床板１０上に戸枠１１を立設して矩形な支持体１２を組み立て、支持体１２内の片側枠部内に壁体１３を組み込んで他側に開口部Ｓを開ける一方、フラット引戸装置Ａで図中左右の開閉方向へスライド自在に引戸１４を上吊りし、閉時は、壁体１３と面一に並んだ閉位置Ｐ１に案内して開口部Ｓを閉止し、開時は、壁体１３と重なる開位置Ｐ２へ引き戻すと、開口部Ｓが開くように吊り込んだ構造になっている。
【００１９】
支持体１２の戸枠１１は、左右の縦枠部１１ａ・１１ｂと上枠部１１ｃとからなる。壁体１３は、パネル状をなし、開口部Ｓ側木口１５の両側角縁１５ａ・１５ｂを面取りし、この木口１５側下部に、後述するガイド金具４５のリンクケース５５を嵌め込む取付凹部１３ａを設けてなる。
【００２０】
さて、フラット引戸装置Ａは、戸車３４・３９を係合させて引戸１４を開閉方向Ｘ・Ｙに案内する第１および第２引戸レール２０・２５と、引戸１４の上端面１４ａに組み付けて戸車３４・３９を搭載した第１および第２戸車ユニット３０・３５と、壁体１３に引戸１４を連結して案内するガイド金具４５を備えた構成になっている。
【００２１】
引戸１４は、例えば木製で、図３に示すように、下端面の長さ方向にガイド溝１６を凹設し、ガイド溝１６に、溝形状に合わせて断面コ形状をなす細長い補強部材１７を嵌め込んで溝内壁を補強すると共に、ガイド溝１６内には、図中左の戸尻側溝端１６ａに一端を当ててゴム製緩衝パッド１８を嵌着している。また、引戸１４は、図中左の戸尻側木口１９に、引戸１４が開閉方向へスライドして壁体１３の木口１５を通過するとき、向かい合う木口１５の片側角縁１５ａと衝突しないように逃がすテーパ１９ａを設けると共に、引戸両板面１４ｂ・１４ｃに対し直角な向きに突当面部１９ｂを並設してなる。なお、引戸両板面１４ｂ・１４ｃには、図中右の戸先側木口近くに縦長な引手ｈを凹設してなる。
【００２２】
第１および第２引戸レール２０・２５は、いずれも金属製で、図１および図２に示すように、長さ方向に逃げ溝２１・２６を開けた溝形パイプ状に曲げ成形し、逃げ溝２１・２６の両側には、断面Ｌ状に曲げて戸車３４・３９を係合させる係合部２０ａ・２５ａを形成する。そして、全体を、本体の長尺な直線部２０ｂ・２５ｂと、直線部２０ｂ・２５ｂの戸先側一端から幅方向横向きに湾曲した屈曲部２０ｃ・２５ｃとで形成してなる。更に、これら引戸レール２０・２５内には、それぞれ長さ方向両端にゴム製の戸当り２２・２３、２７・２８を嵌着している。そこで、第１引戸レール２０は、屈曲部２０ｃを、開口部Ｓ内の戸尻側寄り、即ち壁体１３の木口１５寄りに入り込ませ、直線部２０ｂを、壁体１３の表側（図中手前側）壁面１３ａに沿うように密着させた状態で敷設し、全体を戸枠１１の上枠部１１ｃに固定する。第２引戸レール２５は、屈曲部２５ｃを、開口部Ｓ内の戸先側寄り、即ち戸枠１１の縦枠部１１ｂ寄りに、第１引戸レール２０の屈曲部２０ｃと平行に入り込ませ、直線部２５ｂの戸尻側を、開位置Ｐ２の戸先側で第１引戸レール２０と一部横に重なった状態で敷設し、全体を戸枠１１の上枠部１１ｃに固定してなる。
【００２３】
戸車ユニット３０・３５は、図４に示すように、片側縁にねじ止め用の切欠き穴３１ａ・３６ａを設けた固定プレート３１・３６と、固定プレート３１・３６上に立てて軸支する支持軸３２・３７と、支持軸３２・３７の上端に回動自在に取り付けて支持する戸車体３３・３８とからなる。戸車体３３・３８は、支持ブラケット３３ａ・３８ａの両側面に横車軸３３ｂ・３８ｂを突設し、それら横車軸で戸車３４・３９を回転自在に枢支する。なお、支持ブラケット３３ａ・３８ａの下端面には、引戸１４の横振れ防止用にガイドコロ４１・４２を枢支している。
【００２４】
第１戸車ユニット３０は、支持軸３２の下端を、固定プレート３１の切欠き穴３１ａのある片側縁寄りにあけた軸受穴３１ｂにかしめる一方、上端軸部を、支持ブラケット３３ａの嵌合穴に嵌合して戸車体３３を回動可能に支持軸３２で支持してなる。他方、第２戸車ユニット３５は、支持軸３７の下端を、固定プレート３６の切欠き穴３６ａ側とは反対の他側縁寄りにあけた軸受穴３６ｂにかしめる一方、上端軸部を支持ブラケット３８ａの嵌合穴に嵌合して戸車体３８を回動可能に支持軸３７で支持してなる。
【００２５】
そこで、第１戸車ユニット３０は、図３に示すように、戸車３４が引戸１４の突当面部１９ｂのある一側の側縁に寄った偏心位置で、固定プレート３１を上端面１４ａの戸尻側に載せて、切欠き穴３１ａに止めねじ４３を通して固着する。これに対し、第２戸車ユニット３５は、戸車３９が戸車３４と反対側の側縁に寄った偏心位置で、固定プレート３６を上端面１４ａの戸先側に載せて、切欠き穴３６ａに止めねじ４４を通して固着する。そして、第１戸車ユニット３０は、ガイドコロ４１を、図１および図２に示す第１引戸レール２０の片側の内側面に沿わせ、戸車３４を、第１引戸レール２０の係合部２０ａに載せて係合させ、第２戸車ユニット３５は、ガイドコロ４２を第２引戸レール２５の他側の内側面に沿わせ、戸車３９を、第２引戸レール２５の係合部２５ａに載せて係合させて、引戸１４を、２本の引戸レール２０・２５に掛け下げて吊り込む。即ち、引戸１４は、上端面１４ａにおいて戸厚方向に片寄った偏心位置に搭載した第１および第２戸車ユニット３０の戸車３４・３９をそれぞれ第１および第２引戸レール２０・２５の係合部２０ａ・２５ａに係合させて、両引戸レール２０・２５で開閉方向Ｘ・Ｙにスライド自在に吊持してなる。
【００２６】
ガイド金具４５は、図５および図６に示すように、ガイドリンク５０とリンクケース５５を備える。ガイドリンク５０は、細長い金属プレートからなり、基端部に突当凸部５０ａを突設し、突当凸部５０ａ近くに軸挿通穴５６を設ける一方、先端側に軸受穴５７を設けてなる。そして、軸受穴５７に、取付軸５８の下端軸部をかしめる一方、上端軸部をゴム製ガイドローラ６０の軸穴に嵌合すると共に、ワッシャー５９でガイドローラ６０を回転自在に上端軸部に連結してなる。リンクケース５５は、ケース本体６１と、ケース本体６１に被せるカバー６２からなる。ケース本体６１は、壁体１３の厚さに合わせた長さの金属板を、壁体１３の木口１５側に有した取付凹部１３ａに対応させて、断面コ形状に折り曲げてつくり、対向板部６１ａ・６１ｂ双方の一部にテーパ６１ｃを対称に設ける一方、一側の対向板部６１ａに、ガイドリンク５０の軸挿通穴５６と対応する雌ねじ穴６３を設けてなる。更に、対向板部６１ａ・６１ｂ間の背面板部６１ｄには、厚肉な細長矩形板状をなすゴム製弾性パッド６５をねじ止めして内設している。一方、カバー６２は、細長い金属板を、ケース本体６１の対向板部６１ａ・６１ｂ間の開口に合わせて折り曲げてつくり、片側側縁に、ガイドリンク５０の回動ストローク範囲にわたって開口した切欠き穴６２ａを設けてなる。
【００２７】
ガイド金具４５は、ガイドリンク５０の軸挿通穴５６に枢軸７０を挿通し、更にワッシャー７１に通して先端雄ねじ部７０ａを雌ねじ穴６３に螺合し、弾性パッッド６５の横でケース本体６１に回転自在に連結する。それから、ケース本体６１の対向板部６１ａ・６１ｂ間にカバー６２を被せて、止めねじ７２でスタッド７３を介しケース本体６１に固着して扁平箱形に組み立てる。そして、ガイドリンク５０は、図６に示すように、先端のガイドローラ６０を切欠き穴６２ａから突出させた状態で、図７および図８に示すように、枢軸７０を支点として回転自在に連結して基端部側をリンクケース５５内に収納する一方、片側の側縁部と突当凸部５０ａとが弾性パッド６５に当たる９０度の角度範囲内に回転を規制してリンクケース５５に取り付けてなる。
【００２８】
そこで、フラット引戸装置Ａにおいて、ガイド金具４５は、リンクケース５５を壁体１３の取付凹部１３ａ内に嵌め込んで止めねじ７７で固定する一方、ガイドローラ６０を引戸１４のガイド溝１６に係合させて、引戸１４を壁体１３に連結してなる。
【００２９】
さて、上述した構成のフラット引戸装置Ａにおいて、図９および図１０に示すように、開位置Ｐ２にある引戸１４を、例えば表側から閉位置Ｐ１に案内して開口部Ｓを閉止するときは、引手ｈに手を掛けて引戸１４を図中矢示する閉方向Ｘへ横に引き出す。すると、第１および第２引戸レール２０・２５の直線部２０ｂ・２５ｂの係合部２０ａ・２５ａ上で戸車３４・３９が転動させながら、第１および第２戸車ユニット３０・３５の戸車体３３・３８が直線部２０ｂ・２５ｂを走行し、引戸１４を閉方向Ｘへ案内する。
【００３０】
このとき、フラット引戸装置Ａでは、引戸１４は、上端面１４ａにおいて戸厚方向前後に片寄った偏心位置に搭載した、一方の第１戸車ユニット３０の戸車３４を第１引戸レール２０の係合部２０ａに係合し、他方の第２戸車ユニット３５の戸車３９を第２引戸レール２５の係合部２５ａに係合して上吊りしているため、図１および図２に示すように、両引戸レール２０・２５の直線部２０ｂ・２５ｂで壁体１３と平行に案内され、傾くことなく、フラットな姿勢のまま閉方向Ｘへスライドしながら直進する。しかも、引戸１４は、ガイド溝１６にガイド金具４５のガイドリンク５０のガイドローラ６０が係合し、ガイドリンク５０で下部側をフラ付いたりガタ付いたりしないように繋いで案内し、以って、全体が壁体１３に沿って整然と閉方向Ｘへ直進する。
【００３１】
それから、フラット引戸装置Ａは、こうして図１１（Ａ）でも示すように、引戸１４を引いて閉方向Ｘへ直進させて後、図１２に示すように、第１および第２戸車ユニット３０・３５の戸車３４・３９が第１および第２引戸レール２０・２５の直線部２０ｂ・２５ｂから屈曲部２０ｃ・２５ｃへ進入すると、屈曲部２０ｃ・２５ｃの互いに平行な円弧の曲がりに沿って戸車体３３・３８を回動させながら、第１および第２戸車ユニット３０・３５を案内して引戸１４を開口部Ｓ内へ誘導する。それと同時に、引戸１４の下部側では、図１１（Ｂ）および図１２に示すように、ガイドリンク５０のガイドローラ６０がガイド溝１６内の戸尻側溝端１６ａで緩衝パッド１８に当たると、引戸１４が閉方向Ｘへ直進する動作に従い、ガイドリンク５０が緩衝パッド１８に押されて、図１３に示すように、枢軸７０を支点として上方の引戸レール２０・２５の屈曲部２０ｂ・２５ｂと同じように湾曲した軌跡を描いて図中反時計方向に回動しながら、引戸１４の下部側を、壁体１３に繋いでフラ付いたりガタ付いたりしないように案内して開口部Ｓ内へ誘導する。以って、引戸１４は、途中で傾くことなく、壁体１３と平行なフラットな姿勢を保ちながら、図１１（Ｃ）に示すように整然と閉位置Ｐ１へシフトする。
【００３２】
そして、引戸１４は、第１および第２戸車ユニット３０・３５の支持ブラケット３３ａ・３８ａが第１および第２引戸レール２０・２５内の戸先側戸当り２３・２８に当たると、閉位置Ｐ１で停止し、図１４および図１５に示すように、表側から見ると、表側板面１４ｂが壁体１３の表側壁面１３ｂと段差のない面一な状態で開口部Ｓを閉止する。
【００３３】
一方、フラット引戸装置Ａでは、例えば表側から、開口部Ｓを開けるときは、引手ｈに手を掛け、引戸１４を図中矢示する開方向Ｙへ横に引き出す。すると、第１および第２引戸レール２０・２５の屈曲部２０ｃ・２５ｃの係合部２０ａ・２５ａ上で、戸車３４・３９を転動させながら、第１および第２戸車ユニット３０・３５の戸車体３３・３８が走行し、屈曲部２０ｂ・２５ｂの共に平行な円弧の曲がりに沿って戸車体３３・３８を回動させながら、第１および第２戸車ユニット３０・３５を案内し、引戸１４を開位置Ｐ２へ向けて誘導する。それと同時に、引戸１４の下部側では、引戸１４の開方向Ｙへの動作に従い、ガイドリンク５０のガイドローラ６０がガイド溝１６の溝側壁１６ｂに押されて、ガイドリンク５０が枢軸７０を支点として、上方の引戸レール２０・２５の屈曲部２０ｂ・２５ｂと同じように湾曲した軌跡を描いて図中時計方向に回動しながら（図１３参照）、引戸１４の下部側を、壁体１３に繋いでフラ付いたりガタ付いたりしないように案内し、開位置Ｐ２へ向けて誘導する。以って、引戸１４は、全体が途中で傾くことなく、壁体１３と平行なフラットな姿勢を保ちながら、開位置Ｐ２と同一線上の奥行方向手前にシフトする（図１・図２参照）。
【００３４】
このとき、フラット引戸装置Ａでは、閉時の場合と同様に、引戸１４が閉位置Ｐ１から奥行方向手前にシフトしてするとき、引戸１４は、壁体１４の木口１５の片側角縁１５ａと向かい合う戸尻側木口１９にテーパ１９ａを有するため、壁体１４の木口１５の片側角縁１５ａに衝突しないで通過する。
【００３５】
しかる後、そのまま引戸１４を開方向Ｙへ引いて、戸車３４・３９が第１および第２引戸レール２０・２５の屈曲部２０ｃ・２５ｃから直線部２０ｂ・２５ｂに進入すると、直線部２０ｂ・２５ｂの係合部２０ａ・２５ａ上で、戸車３４・３９を転動させながら、第１および第２戸車ユニット３０・３５の戸車体３３・３８が走行する。このときも、引戸１４は、上端面１４ａにおいて戸厚方向前後に片寄った偏心位置に搭載した、第１戸車ユニット３０の戸車３４を第１引戸レール２０の係合部２０ａに係合し、第２戸車ユニット３５の戸車３９を第２引戸レール２５の係合部２５ａに係合して上吊りされているため、両引戸レール２０・２５の直線部２０ｂ・２５ｂで壁体１３と平行に案内され、傾くことなく、フラットな姿勢のまま開方向Ｙへ直進する。しかも、引戸１４は、ガイド溝１６にガイド金具４５のガイドリンク５０のガイドローラ６０が係合し、ガイドリンク５０で下部側を繋いでフラ付いたりガタ付いたりしないように案内され、以って、全体が壁体１３に沿って整然と開方向Ｙへ直進する。しかる後、引戸１４は、図９および図１０に示すように、第１および第２の戸車ユニット３０・３５の支持ブラケット３３ａ・３８ａが第１および第２引戸レール２０・２５内の戸先側戸当り２２・２７にそれぞれに当たると、壁体１３と重なった開位置Ｐ２で停止し、開口部Ｓを全開する。
【００３６】
以上のように、フラット引戸装置Ａでは、閉時だけでなく、引戸１４が壁体１３と面一に並んで一見して開く操作手順の判り難くい状態にある開時も、同様に、引戸１４を開方向Ｙへ向けて横にただ引くだけでよく、横に引くと、それに従って、引戸１４は、上部側が第１および第２引戸レール２０・２５の屈曲部２０ｃ・２５ｃと直線部２０ｂ・２５ｂに沿って開位置Ｐ２へ誘導され、下部側は、ガイド溝１６にガイドローラ６０を係合させたガイドリンク５０でフラ付かないように壁体１３に沿って案内され、そのまま開位置Ｐ２へ誘導されるので、引戸１４の開操作が判り易く、手前に引き寄せたり或いは奥側に押し出したりする余計な動作は必要でなく、単純に引戸１４を横に引く一段の動作で簡単に開口部Ｓを開けることができる。従って、引戸の開操作手順が判り難くいことが原因で、引戸が乱暴に押されたり引かれたりして壊れてしまうようなこともない。
【００３７】
また、フラット引戸装置Ａでは、壁体１３の木口１５側下部の取付凹部１３ａ内に、ガイド金具４５をリンクケース５５ごと嵌め込んで覆い、そのリンクケース５５内に基端部側を収納して回転自在に連結するガイドリンク５０は、先端部のガイドローラ６０を引戸１４の下端面に凹設したガイド溝１６に係合させて引戸１４を壁体１３に連結する構成にし、これによって引戸１４を案内するガイド機構を形成するため、ガイド部品のほとんどが壁体１３と引戸１４の下に隠れて、外部に突出したり露出したりせず、その結果、引戸周りがスッキリして見栄えが向上し、ガイド部品の出っ張りが障害となって足や物が引っ掛かって怪我をしたり物に傷が付いたりするような危険の発生を防止して安全性が高められる。
【００３８】
更に、フラット引戸装置Ａでは、引戸１４を横に引いて開口部Ｓを開閉するとき、ガイド金具４５は、図７に示すように、リンクケース５５内の弾性パッド６５に、ガイドリンク５５の片側側縁又は突当凸部５０ａを当接させて衝撃を緩衝し、金属音などの騒音の発生を防止する。
【００３９】
以上の図示実施の形態では、フラット引戸装置Ａを、引戸１４の戸尻側に壁体１３を立設した引戸構造体Ｄに適用したが、それに限らず、引戸１４の両側に壁体を立設した引戸構造体等にも適用することができる。
【図面の簡単な説明】
【００４０】
【図１】本発明の一例であるフラット引戸装置を適用した引戸構造体を、開口部が全閉直前の状態において示す斜視図である。
【図２】図１の引戸構造体のフラット引戸装置の開閉機構を示す平面図である。
【図３】引戸の構造を示す斜視図である
【図４】（Ａ）第１戸車ユニットの組立斜視図、（Ｂ）第２戸車ユニットの組立斜視図である。
【図５】ガイド金具の分解斜視図である。
【図６】ガイド金具の組立斜視図である。
【図７】ガイド金具を取付状態で示す平面図である。
【図８】ガイド金具を取付状態で示す側面図である。
【図９】引戸構造体を開口部の全開状態において示す斜視図である。
【図１０】図９のフラット引戸装置の開閉機構を示す平面図である。
【図１１】（Ａ）フラット引戸装置のガイド機構を、引戸を閉位置へシフトさせる直前の状態において示す概略平面図、（Ｂ）引戸を閉位置へシフトさせる途中の段階で示す概略平面図、（Ｃ）引戸を閉位置にシフトした段階で示す概略平面図である。
【図１２】引戸を閉位置へシフトさせる途中の段階でのフラット引戸装置の開閉機構を示す平面図である
【図１３】図１１の引戸シフト動作の軌跡を示す概略平面図である。
【図１４】引戸構造体を開口部の全閉状態において示す斜視図である。
【図１５】図１４のフラット引戸装置の開閉機構を示す平面図である。
【図１６】従来のフラット引戸装置を付設した引戸構造体を、開口部の全開状態において裏側から見て示す斜視図である。
【図１７】図１のフラット引戸装置の開閉機構を示す平面図である。
【図１８】従来の引戸構造体を開口部が全閉状態において表側から見て示す概略斜視図である。
【符号の説明】
【００４１】
Ａ                フラット引戸装置
Ｄ                引戸構造体
Ｐ１              閉位置
Ｐ２              開位置
Ｓ                開口部
１２              支持体
１３              壁体
１３ａ            取付凹部
１３ｂ            表側壁面
１４              引戸
１４ａ            引戸の上端面
１５              壁体の木口
１５ａ            壁体木口の片側角縁
１６              引戸のガイド溝
１９              引戸の木口
１９ａ            テーパ
２０              第１引戸レール
２０ｂ            直線部
２０ｃ            屈曲部
２５              第２引戸レール
２５ｂ            直線部
２５ｃ            屈曲部
３０              第１戸車ユニット
３４・３９        戸車
３５              第２戸車ユニット
５０              ガイドリンク
５５              リンクケース
６５              弾性パッド
【図１】
0004637894.tif 000002
【図２】
0004637894.tif 000003
【図３】
0004637894.tif 000004
【図４】
0004637894.tif 000005
【図５】
0004637894.tif 000006
【図６】
0004637894.tif 000007
【図７】
0004637894.tif 000008
【図８】
0004637894.tif 000009
【図９】
0004637894.tif 000010
【図１０】
0004637894.tif 000011
【図１１】
0004637894.tif 000012
【図１２】
0004637894.tif 000013
【図１３】
0004637894.tif 000014
【図１４】
0004637894.tif 000015
【図１５】
0004637894.tif 000016
【図１６】
0004637894.tif 000017
【図１７】
0004637894.tif 000018
【図１８】
0004637894.tif 000019